(57)【要約】【課題】洗濯物の噛み込みを未然に防止することが可能な洗濯乾燥機を提供する。【解決手段】洗濯物を収容する内槽３と、内槽３を内包して洗濯水を溜める外槽４と、内槽３の上部に取り付けられるバランスリング５と、外槽４の開口部４ａを覆う槽カバー６と、槽カバー６に形成された開口部６ａを開閉する内蓋７と、を備え、内蓋７を閉じたときの当該内蓋７の裏面の環状面部７ａ４は、バランスリング５の上面５ｅよりも低い位置に設定されている。【選択図】図３
2015043866.tif 000002
【特許請求の範囲】
【請求項１】
洗濯物を収容する内槽と、
前記内槽を内包して洗濯水を溜める外槽と、
前記内槽の上部に取り付けられるバランスリングと、
前記外槽の上部開口を覆う槽カバーと、
前記槽カバーに形成された開口部を開閉する内蓋と、を備え、前記内槽内に前記洗濯物を乾燥させる空気を通流させる洗濯乾燥機において、
前記内蓋を閉じたときの当該内蓋の裏面の最下面部は、前記バランスリングの上面よりも低い位置であることを特徴とする洗濯乾燥機。
【請求項２】
前記内蓋の裏面は、凹みを有することを特徴とする請求項１に記載の洗濯乾燥機。
【請求項３】
前記バランスリングの内径側の側面には、前記開口部の縁部よりも径方向内側に突出するストッパ部が形成されていることを特徴とする請求項１または請求項２に記載の洗濯乾燥機。
【請求項４】
前記内槽の内壁面には、前記外槽に溜められた洗濯水を前記内槽の上部から吐出させて循環させる循環流路部材が設けられ、
前記循環流路部材の表面には、周方向に対して交差する向きに突出する段差部が形成されていることを特徴とする請求項１から請求項３のいずれか１項に記載の洗濯乾燥機。
【発明の詳細な説明】
【技術分野】
【０００１】
本発明は、外槽の上部を覆う槽カバーを備えた洗濯乾燥機に関する。
【背景技術】
【０００２】
洗濯乾燥機は、内槽の上部に洗濯時にバランスをとるためのバランスリングと、外槽の上部開口を覆う槽カバーと、槽カバーに洗濯物の出し入れを行う際に開閉される内蓋と、を備えている。この種の洗濯乾燥機では、内槽回転時に内槽が槽カバーに接触するのを防止するために、槽カバーとバランスリングとの間にギャップ（隙間）を設ける必要がある。しかし、脱水行程などで内槽が回転すると、内槽に収容されている衣類（洗濯物）が上昇し、衣類が隙間に入り込むという衣類の噛み込みが発生するというおそれがあった。そこで、このような衣類の噛み込みを防止するために、内槽を回転させる際のモータの電流値を読み取り、衣類の噛み込みの判定を行い、衣類が噛み込んでいる場合には内槽の回転を停止させるというソフト制御を行う技術が提案されている（例えば、特許文献１参照）。
【先行技術文献】
【特許文献】
【０００３】
【特許文献１】特開２０１２−１７０６７７号公報
【発明の概要】
【発明が解決しようとする課題】
【０００４】
しかしながら、特許文献１に記載の洗濯乾燥機では、衣類の噛み込みが発生してから内槽の回転を停止させるため、衣類の噛み込みを未然に防ぐことが困難であった。
【０００５】
本発明は、前記従来の問題を解決するものであり、洗濯物の噛み込みを未然に防止することが可能な洗濯乾燥機を提供することを目的とする。
【課題を解決するための手段】
【０００６】
本発明は、洗濯物を収容する内槽と、前記内槽を内包して洗濯水を溜める外槽と、前記内槽の上部に取り付けられるバランスリングと、前記外槽の上部開口を覆う槽カバーと、前記槽カバーに形成された開口部を開閉する内蓋と、を備え、前記内槽内に前記洗濯物を乾燥させる空気を通流させる洗濯乾燥機において、前記内蓋を閉じたときの当該内蓋の裏面の最下面部は、前記バランスリングの上面よりも低い位置であることを特徴とする。
【発明の効果】
【０００７】
本発明によれば、洗濯物の噛み込みを未然に防止することが可能な洗濯乾燥機を提供できる。
【図面の簡単な説明】
【０００８】
【図１】第１実施形態に係る洗濯乾燥機を示す構成図である。
【図２】外槽から槽カバーを分離させた状態を示す斜視図である。
【図３】図２のＡ−Ａ線矢視部分断面図である。
【図４】内蓋の裏側の部材を構成する補強プレートを示し、（ａ）上下逆さまにしたときの斜視図、（ｂ）は側面図である。
【図５】内槽の内部構造を示す斜視図である。
【図６】循環流路部材を示し、（ａ）は正面図、（ｂ）は（ａ）のＢ−Ｂ線矢視断面図である。
【図７】別の循環流路部材を示し、（ａ）は正面図、（ｂ）は（ａ）のＣ−Ｃ線矢視断面図である。
【図８】第２実施形態に係る洗濯乾燥機における図３に対応する部分断面図である。
【発明を実施するための形態】
【０００９】
以下、本発明を実施するための形態（以下「実施形態」という）について、適宜図面を参照しながら詳細に説明する。なお、本発明は、洗濯、すすぎ、脱水、乾燥を行うことができる洗濯乾燥機（いわゆる、縦型の洗濯乾燥機）に適用されるものである。
【００１０】
（第１実施形態）
図１は、第１実施形態に係る洗濯乾燥機を示す構成図である。
図１に示すように、洗濯乾燥機１Ａは、筐体２内に、内槽３、外槽４、バランスリング５、槽カバー６、内蓋７などを備えて構成されている。
【００１１】
内槽３は、洗濯兼脱水槽として機能し、回転軸が略鉛直方向のものであって有底円筒形状を呈し、ステンレス鋼板などで形成された胴板３ａを有している。内槽３の側壁（胴板３ａ）および底壁には、通水および通風のための多数の貫通孔３ａ１，３ａ２（一部のみ図示）が形成されている。
【００１２】
また、内槽３の底部には、回転翼３ｂが設けられている。この回転翼３ｂには、上下に貫通する貫通孔３ｂ１が複数設けられている。
【００１３】
外槽４は、有底円筒形状を呈し、内槽３を同軸上に内包している。また、外槽４は、図示しない複数の懸架手段によって筐体２内において支持されている。懸架手段は、筐体２または外槽４に生じた振動によって伸縮することで、その振動の運動エネルギを熱エネルギに変換し、その振動を制振させることができるものである。
【００１４】
また、外槽４は、上部に形成された開口部４ａ（上部開口）が槽カバー６によって覆われている。槽カバー６には、内蓋７が取り付けられている。
【００１５】
また、洗濯乾燥機１Ａは、筐体２内に、駆動装置１０、洗剤・仕上剤の投入装置１１、給水ユニット１２Ａ、乾燥ダクト２０、送風ファン２１などを備えている。
【００１６】
洗濯乾燥機１Ａの筐体２の上部には、上面カバー２ａが設けられており、上面カバー２ａには外蓋８が設けられている。上面カバー２ａの奥側（後側）には、水道栓からの給水ホース接続口９および風呂の残り湯を吸引する吸水ホース接続口（図示省略）が設けられている。
【００１７】
外蓋８は、山型に折れ曲がりながら後ろ側に開くことにより、内蓋７の上方に形成された開口部２ｂを開口するようになっている。ユーザは、外蓋８および内蓋７を開くことにより、開口部２ｂから内槽３内に対して衣類など（洗濯物）の出し入れを行うことができる。
【００１８】
駆動装置１０は、外槽４の底面の外側中央に配置されている。この駆動装置１０は、モータ１０ａとクラッチ機構１０ｂとを有し、駆動装置１０の回転軸１０ｃが外槽４を貫通し、内槽３および回転翼３ｂと結合するように構成されている。モータ１０ａは、同軸で異径（大径と小径）の回転軸を有している。クラッチ機構１０ｂは、回転軸を切り換えて、モータ１０ａの回転動力を内槽３および回転翼３ｂの少なくともいずれかに伝達する機能を有する。モータ１０ａは、その回転を検出するホール素子あるいはフォトインタラプタなどで構成される回転検出装置２８と、モータ１０ａに流れる電流を検出するモータ電流検出装置２９を備えている。
【００１９】
回転翼３ｂは、モータ１０ａの小径の回転軸に支持されることで回転自在となっている。これにより、洗濯やすすぎ時に、回転翼３ｂを回転させて水を洗濯物ごと攪拌することができる。内槽３は、モータ１０ａの大径の回転軸に支持されることで回転自在となっている。これにより、脱水時に、内槽３を回転させて洗濯物を脱水することができる。
【００２０】
投入装置１１は、上面カバー２ａの手前側に設けられている。洗剤や仕上剤は、投入ホース１１ａから水道水とともに外槽４と内槽３との間に投入される。 
【００２１】
給水ユニット１２Ａは、上面カバー２ａの奥側に設けられている。この給水ユニット１２Ａは、給水ホース接続口９からの水道水を投入装置１１、水冷除湿機構２５へ給水する。また、給水ユニット１２Ａは、給水ホース接続口９からの水道水や吸水ホース接続口からの風呂水を、注水ホース１１ｂを介して、外槽４と内槽３との間から外槽４内に注水する。
【００２２】
水冷除湿機構２５は、乾燥ダクト２０内に水を供給する水供給部２５ａと、この水供給部２５ａから供給された水を乾燥ダクト２０内の雰囲気（空気）に露出させながら流す流下部２５ｂ（ステンレス製等の金属プレート）と、を有して構成されている。水供給部２５ａから供給された水が空気に触れることで、空気を冷却して空気中の水分を取り除くこと、すなわち除湿することができる。なお、流下部２５ｂは、水が接触する表面積を大きくするために凹凸形状を有している。また、流下部２５ｂは、乾燥ダクト２０の壁面を兼ねていてもよい。
【００２３】
外槽４の底面に設けられた落込部４ｍは、下部連通管１３と連通している。下部連通管１３は、排水弁１４を介して、洗濯水排水路１５と連通するように接続されている。この洗濯水排水路１５には、機外に排水を送り出す図示しない排水ホースが接続されている。ちなみに、排水弁１４を閉弁することにより、外槽４内に洗い水やすすぎ水を貯水可能とする。また、排水弁１４を開弁することにより、外槽４内の水（洗い水、すすぎ水）を、洗濯水排水路１５を介して、機外へ排出することができる。
【００２４】
乾燥ダクト２０は、筐体２の背面内側に縦方向に延びるように配置され、ダクト下部は外槽４の落込部４ｍとゴム製の蛇腹管２０ａによって接続されている。乾燥ダクト２０内には、水冷除湿機構２５が内蔵されており、この水冷除湿機構２５の流下部２５ｂを伝わって流下した冷却水は、落込部４ｍに入り、下部連通管１３、洗濯水排水路１５を通り機外へ排出される。
【００２５】
乾燥ダクト２０の出口はファン２１の吸気口と接続され、ファン２１の吐出口はヒータ２２と接続されている。ヒータ２２の出口は、送風ダクト２３およびゴム製の蛇腹管２３ａを介して、吹出ノズル２４と接続されている。つまり、ファン２１が駆動すると、外槽４内の空気が落込部４ｍを介して乾燥ダクト２０に流れ込む。そして、乾燥ダクト２０で水冷除湿された空気は、ファン２１から吐出され、次いでヒータ２２で加熱された後、高温低湿の風（乾燥空気）となって吹出ノズル２４から内槽３内に向けて吹き出される。なお、図示していないが、下部連通管１３と排水弁１４の間には、洗濯水の温度や、乾燥運転中に洗濯水排水路１５から機外に排出される空気の温度を検出する温度センサが設けられている。
【００２６】
バランスリング（流体バランサともいう）５は、合成樹脂などで形成され、内槽３の胴板３ａの上端縁部に設けられている。このバランスリング５は、内部に比重の大きな流体（塩水など）を封入して構成され、内槽３の回転時に洗濯物の偏りなどによって偏心が生じたときに、バランスリング５内での流体の移動によって偏心を打ち消し、回転のバランスを維持する働きを有する。
【００２７】
図２は、外槽から槽カバーを分離させた状態を示す斜視図である。
槽カバー６は、略円形状を呈しており、略中央部に洗濯物が出し入れされる開口部６ａが設けられている。この開口部６ａには、内蓋７がヒンジ６ｂを介して開閉自在に設けられている。また、槽カバー６の上面には、ヒンジ６ｂを補強するためのリブ６ｃが設けられている。このリブ６ｃは、槽カバー６の中心から後部寄りにおいて左右の周壁部６ｄ間に渡って設けられている。
【００２８】
また、槽カバー６の上面には、リブ６ｃの後方において、蛇腹管２３ａ（図１参照）と接続される接続口６ｅと、注水ホース１１ｂ（図１参照）と接続される接続口６ｆと、が設けられている。また、槽カバー６の後部には、乾燥ダクト２０の上端開口に装着される装着部６ｇが設けられている。この装着部６ｇには、乾燥ダクト２０と接続される接続口６ｈ、水供給部２５ａ（図１参照）と接続される接続口６ｉが設けられている。
【００２９】
図３は、図２のＡ−Ａ線矢視部分断面図である。なお、図３は、槽カバー６を外槽４に装着して、内蓋７を閉じたときの断面図である。
図３に示すように、内蓋７は、ステンレス鋼板などで形成された補強フレーム７ａと、合成樹脂などで形成された蓋カバー７ｂと、補強フレーム７ａと蓋カバー７ｂとに挟持されたシール部材７ｃとが組み合わされて構成されている。また、内蓋７は、蓋カバー７ｂの前部に設けられたロック機構６ｊ（図２参照）を操作することにより、開口部６ａを閉じた状態でロックすることができる。
【００３０】
図４は、内蓋の裏側の部材を構成する補強プレートであり、（ａ）上下逆さまにしたときの斜視図、（ｂ）は側面図である。
図４（ａ）に示すように、補強フレーム７ａは、略中央部に凹み部７ａ１（凹み）が形成されている。この補強フレーム７ａは、ステンレス製の鋼板を絞り加工などを施すことによって形成されている。凹み部７ａ１は、蓋カバー７ｂの外周形状に沿うように平面視略半円状に形成されている。また、凹み部７ａ１は、上方（図示下側）に向かうにつれて内蓋７の中心側に傾斜する内側面７ａ２と、上方（図示下側）に向けて凸となる底面（天井面）７ａ３とを有して構成されている。
【００３１】
また、補強フレーム７ａは、内側面７ａ２の下端（図示上端）において、凹み部７ａ１を囲むように環状面部７ａ４（最下面部）を有している。また、補強フレーム７ａは、環状面部７ａ４から上方（図示下側）に向けて内側面７ａ２から離れる方向に傾斜する外側面７ａ５を有している。また、外側面７ａ５の上端には、外側側方に突出するつば部７ａ６が全周に渡って形成されている。このつば部７ａ６と蓋カバー７ｂとでシール部材７ｃが挟持されている。
【００３２】
図４（ｂ）に示すように、補強フレーム７ａは、内蓋７（図３参照）の側面視において、外側面７ａ５がつば部７ａ６から略下方に向けて延び、さらに凹み部７ａ１の中央部がつば部７ａ６の高さ位置から上方に突出するように構成されている。
【００３３】
図３に戻って、槽カバー６の下方には、バランスリング５が位置している。このバランスリング５は、流体が収容される複数の流体収容部５ｂを有するバランスリング本体５ａと、バランスリング本体５ａの上面を覆い、流体収容部５ｂを密閉するバランスリング蓋部５ｃと、を有して構成されている。バランスリング蓋部５ｃの上面５ｅは、径方向（水平方向）に平坦な面を有している。
【００３４】
また、バランスリング５の内周面（側面）５ｄは、槽カバー６の開口部６ａの縁部６ａ１よりも径方向外側に位置している。
【００３５】
また、補強プレート７ａの外側面７ａ５は、下方に向かうにつれて開口部６の縁部６ａ１から離れる方向に傾斜している。これにより、内蓋７を開閉する際に、補強フレーム７ａが槽カバー６に接触するのを防止できる。
【００３６】
なお、図示省略しているが、内蓋７は、補強フレーム７ａの環状面部７ａ４にねじ挿通用孔を複数個所に形成し、蓋カバー７ｂの内部に、ねじが螺合されるねじボスを各ねじ挿通孔に対応する位置に設けることにより、補強フレーム７ａと蓋カバー７ｂとを互いに固定することができる。
【００３７】
また、開口部６ａが内蓋７で閉じられた状態において、内蓋７の環状面部７ａ４（最下面部）の高さ方向（上下方向）の位置が、バランスリング５の上面５ｅよりも低い位置となるように構成されている（図３の下向き矢印参照）。これにより、脱水運転時などにおいて、洗濯物が内槽３内で上昇したとしても、槽カバー６とバランスリング５との間の隙間ＣＬに到達する前に、内蓋７の裏面の最下面に位置する環状面部７ａ４に当たることにより、洗濯物の上昇を堰き止めること（阻止すること）ができ、隙間ＣＬに洗濯物が入り込む（噛み込む）のを防止することが可能になる。
【００３８】
ちなみに、バランスリング５の形状が上下方向からの平面視において円環形状であり、内蓋７の環状面部７ａ４の形状が上下方向からの平面視において略半円状である。このため、内蓋７を閉じたときに、槽カバー６の内蓋７の後方側では、バランスリング５と槽カバー６との隙間ＣＬに内蓋７が位置しないことになる。しかし、本実施形態のようにバランスリング５と槽カバー６との間の隙間ＣＬの一部において、内蓋７の環状面部７ａ４が位置することで、洗濯物が上昇したときに環状面部７ａ４に当たることになり、洗濯物の隙間ＣＬへの噛み込みを防止することが可能になる。
【００３９】
図５は、内槽の構造を示す斜視図である。なお、図５は、胴板３ａ（図１参照）および回転翼３ｂ（図１参照）を取り外した状態を示している。なお、図５に示す内槽３の構造は、一例であって、本実施形態に限定されるものではない。
図５に示すように、内槽３は、上向きに凹形状となる合成樹脂製の底板３ｃを有している。底板３ｃの底面には、外槽４と連通する連通孔３ａ２（図１参照、図５では図示省略）が複数個所に形成されている。
【００４０】
胴板３ａ（図１参照）の内周面には、周方向に間隔を置いて４箇所に循環流路部材５１，５２，５１，５２が取り付けられている。循環流路部材５１，５２は、合成樹脂などで一体に形成され、裏面側に導水路５１ａ，５２ａを有しており、導水路５１ａ，５２ａと内槽３を構成する胴板３ａなどの壁面との間で循環水路Ｒ（図６（ｂ）および図７（ｂ）参照）を構成している。循環流路部材５１，５２の上部には、流路の出口としての洗濯水を内槽３内に散水するスリット形状の吐出口５１ｂ，５２ｂが形成されている。
【００４１】
なお、図示していないが、底板３ｃの内面と、回転翼３ｂの裏面に設けられた裏羽根（不図示）の外周側とで構成されたポンプ室ＰＭ（図１参照）に、循環水路Ｒが連通している。洗濯水が回転翼３ｂの裏側に設けた裏羽根（不図示）の回転により発生する遠心力で外側に押し出されることによって、導入口Ｍから循環水路Ｒを経由して洗濯水が循環水路Ｒ内を上昇し、各循環流路部材５１，５２の吐出口５１ｂ，５２ｂから洗濯水が間欠的に注がれる。
【００４２】
図６は、循環流路部材を示し、（ａ）は正面図、（ｂ）はＢ−Ｂ線矢視断面図である。
なお、図６に示す循環流路部材５１は、洗濯水を循環させる機能のみを有し、内槽３内において、互いに対向する位置に配置されるものである。
【００４３】
図６（ａ）に示すように、循環流路部材５１は、内槽３（図５参照）の上下方向（深さ方向）に延在する正面視で矩形の略板状体で構成されている。なお、循環流路部材５１は、合成樹脂製でもよいが、所定の機械的強度、加工性が得られればこれに限定されるものではなく、金属などの他の材料であってもよい。また、循環流路部材５１の長手方向（深さ方向）の上端部には、内槽３の内側に向けて開口し、循環水路Ｒ（図６（ｂ）参照）と連通する吐出口５１ｂが形成されている。
【００４４】
図６（ｂ）に示すように、循環流路部材５１の内槽３の中心側に向いている表面には、周方向の両側において、内槽３の周方向に対して交差する方向に突出する凹面形状を有する段差部５１ｃ，５１ｃが形成されている。また、循環流路部材５１は、段差部５１ｃと段差部５１ｃとの間に、周方向に胴板３ａと平行に延びる幅広の板部５１ｄを有している。この段差部５１ｃは、胴板３ａの下端に対応する位置から、吐出口５１ｂの近傍まで上下方向に直線状に延びている。また、段差部５１ｃを湾曲面（Ｒ形状）にするとともに、段差部５１ｃと板部５１ｄとの境界を湾曲面（Ｒ形状）にすることで、内槽３の回転時における洗濯物に対する傷みを緩和できる。
【００４５】
図７は、別の循環流路部材を示し、（ａ）は正面図、（ｂ）はＣ−Ｃ線矢視断面図である。なお、図７に示す循環流路部材５２は、洗剤投入ケースＳと糸くずフィルタＦ（図５参照）とを備えている。なお、図７（ａ）は、糸くずフィルタＦを取り外した状態を示している。
【００４６】
図７（ａ）に示すように、循環流路部材５２の内槽３の中心側に向いている表面には、循環流路部材５１と同様に、周方向の両側において、内槽３の周方向に対して交差する方向に突出する凹面形状を有する段差部５２ｃが形成されている。また、循環流路部材５２は、段差部５２ｃと段差部５２ｃとの間に、糸くずフィルタＦ（図５参照）が収容される凹部５２ｄを有する幅広の板部５２ｅを有している。この段差部５２ｃは、胴板３ａの下端に対応する位置から、吐出口５２ｂの近傍まで上下方向に沿って直線状に延びている。この場合も、段差部５２ｃを湾曲面（Ｒ形状）にするとともに、段差部５２ｃと板部５２ｅとの境界を湾曲面（Ｒ形状）にすることで、内槽３の回転時における洗濯物に対する傷みを緩和できる。
【００４７】
なお、内槽３（胴板３ａ）の内周面には、循環流路部材５２と対向する位置に、糸くずフィルタＦを備えた循環流路部材５２が設けられている。この循環流路部材５２は、図７に示す循環流路部材５２から洗剤投入ケースＳを取り除いた構成であり、その他については循環流路部材５２と同様に構成されている。
【００４８】
ところで、脱水行程やすすぎ行程において、内槽３が回転すると、内槽３の内部に収容されている衣類などの洗濯物が、内槽３が回転する際に洗濯物が遠心力によって上方に押し上げられ、洗濯物がバランスリング５と槽カバー６との間の隙間ＣＬに入り込む可能性が高まる。しかし、循環流路部材５１，５２に、内槽３の内側に段差部５１ｃ，５２ｃを設けることで、洗濯物が段差部５１ｃ，５２ｃに接して抵抗が発生し（図６（ｂ）および図７（ｂ）参照）、洗濯物に対して上向きの力が抑えられ、バランスリング５と槽カバー６との間の隙間ＣＬへの洗濯物の上昇を抑制することができる。
【００４９】
なお、段差部５１ｃ，５２ｃにおいて、周方向に対して交差する角度については、洗濯物に対して抵抗を生じさせて、洗濯物の上昇（隙間ＣＬへの上昇）を抑えることができるものであれば特に限定されるものではなく、鈍角、直角、鋭角いずれも採用することができる。
【００５０】
以上説明したように、本実施形態に係る洗濯乾燥機１Ａによれば、内蓋７を閉じたときの内蓋７の環状面部７ａ４（内蓋の裏面の最下面部）をバランスリング５の上面５ｅよりも低い位置に設定することで（図３参照）、仮に洗濯物が脱水運転時などにおいて洗濯物が上昇したとしても、洗濯物が隙間ＣＬの高さまで上昇するのを抑えることができ、バランスリング５と槽カバー６との間に洗濯物が入り込むのを防止することが可能になる（図３の白抜き矢印参照）。これにより、定格の洗濯容量および乾燥容量を増やすために、内槽３などの形状を拡大することなく、内蓋７の形状を変更するだけで対応することが可能になる。
【００５１】
また、本実施形態では、内蓋７の裏面に凹み部７ａ１（凹み）を設けることにより（図３、図４参照）、定格の洗濯容量および乾燥容量を増やすことが可能になる。
【００５２】
また、本実施形態では、循環流路部材５１，５２の表面に、周方向に向けて交差する方向に突出する段差部５１ｃ，５２ｃを設けることにより、脱水運転時などにおいて洗濯物が上昇するのを抑制することができる。よって、洗濯物がバランスリング５と槽カバー６との間の隙間ＣＬに向かうのを抑制することができ、隙間ＣＬに衣類が入り込むのをより確実に防止することができる。
【００５３】
（第２実施形態）
図８は、第２実施形態に係る洗濯乾燥機における図３に対応する部分断面図である。なお、第１実施形態と同様の構成については同一の符号を付して重複した説明を省略する。
図８に示すように、洗濯乾燥機１Ｂは、バランスリング５の内径側の側面５ｄに、径方向内側に向けて突出するストッパ部（突起部）５ｆが形成されている。このストッパ部５ｆは、例えば、バランスリング５の側面５ｄに、周方向全体に渡って形成されている。
【００５４】
これにより、脱水運転時などにおいて、洗濯物が内蓋７の位置まで上昇したとしても、ストッパ部５ｆによって、洗濯物が隙間ＣＬに入り込むのをより確実に防止することができる。
【００５５】
なお、ストッパ部５ｆは、バランスリング５の側面５ｄに周方向全体に渡って形成されるものに限定されず、洗濯物の隙間ＣＬへの入り込みを防止できるものであれば周方向において間欠的に設ける構成であってもよい。
【００５６】
また、ストッパ部５ｆの高さ位置は、バランスリング５の側面５ｄの上端に限定されるものではなく、内蓋７の面部７ａ４よりも下方に位置するものであってもよく適宜変更することができる。
【００５７】
また、ストッパ部５ｆの向きは、径方向内側に水平に延びるものに限定されず、斜め下向き、斜め上向きなどであってもよい。また、ストッパ部５ｆの形状は、上下方向に切断断面視において矩形状のものに限定されず、先端が下向きに曲がるＬ字型、略Ｌ字型の形状であってもよい。
【００５８】
なお、本発明は前記した実施形態に限定されるものではなく、本発明の趣旨を逸脱しない範囲において種々変更することができる。例えば、本実施形態では、内蓋７に凹み部７ａ１を設けた場合を例に挙げて説明したが、凹み部７ａ１を設けない構成であってもよい。
【符号の説明】
【００５９】
１Ａ，１Ｂ  洗濯乾燥機
２      筐体
３      内槽
４      外槽
４ａ    開口部（上部開口）
５      バランスリング
５ｄ    側面
５ｅ    上面
５ｆ    ストッパ部
６      槽カバー
６ａ    開口部
６ａ１  縁部
７      内蓋
７ａ１  凹み部（凹み）
７ａ４  環状面部（最下面部）
５１，５２  循環流路部材
５１ｃ，５２ｃ  段差部
【図１】
2015043866.tif 000003
【図２】
2015043866.tif 000004
【図３】
2015043866.tif 000005
【図４】
2015043866.tif 000006
【図５】
2015043866.tif 000007
【図６】
2015043866.tif 000008
【図７】
2015043866.tif 000009
【図８】
2015043866.tif 000010